(57)【要約】【課題】故障箇所に応じた制御を行うことを可能とする。【解決手段】電力変換システム１００は、複数の電力変換回路１と、制御部２０と、故障検知部２１と、を備える。複数の電力変換回路１は、一対の第１端子と一対の第２端子との間に電気的に並列接続され、入力された電圧を所望の電圧に変換する。制御部２０は、複数の電力変換回路１の動作を制御する。故障検知部２１は、複数の第１計測部の計測値と、第２計測部の計測値とから、複数の第１計測部５、第２計測部６、及び複数の電力変換回路１の何れに故障が発生しているかを検知する。複数の第１計測部５は、複数の電力変換回路１に一対一に対応するように設けられて対応する電力変換回路１を流れる電流をそれぞれ計測する。第２計測部６は、一対の第１端子を流れる電流を計測する。【選択図】図１
2019103160.tif 000002
【特許請求の範囲】
【請求項１】
一対の第１端子と一対の第２端子との間に電気的に並列接続され、入力された電圧を所望の電圧に変換する複数の電力変換回路と、
前記複数の電力変換回路の動作を制御する制御部と、
前記複数の電力変換回路に一対一に対応するように設けられて対応する電力変換回路を流れる電流をそれぞれ計測する複数の第１計測部の計測値と、前記一対の第１端子を流れる電流を計測する第２計測部の計測値とから、前記複数の第１計測部、前記第２計測部、及び前記複数の電力変換回路の何れに故障が発生しているかを検知する故障検知部と、
を備える
電力変換システム。
【請求項２】
各々が備える第１コンデンサが一対の第１端子間に電気的に直列接続され、かつ、各々が備える第２コンデンサが一対の第２端子間に電気的に直列接続されており、前記第１及び第２コンデンサの一方を介して入力された電圧を所望の電圧に変換して前記第１及び第２コンデンサの他方から出力する、複数の電力変換回路と、
前記複数の電力変換回路の動作を制御する制御部と、
前記複数の電力変換回路に一対一に対応するように設けられて対応する電力変換回路の前記第１コンデンサ間の電圧をそれぞれ計測する複数の第１計測部の計測値と、前記一対の第１端子間の電圧を計測する第２計測部の計測値とから、前記複数の第１計測部、前記第２計測部、及び前記複数の電力変換回路の何れに故障が発生しているかを検知する故障検知部と、
を備える
電力変換システム。
【請求項３】
前記故障検知部は、前記複数の第１計測部の計測値の合計値と前記第２計測部の計測値との差が、所定の判定閾値以上であると、前記複数の第１計測部及び前記第２計測部のうちの何れかに故障が発生している計測部故障状態であると検知する
請求項１又は２記載の電力変換システム。
【請求項４】
前記制御部は、前記複数の電力変換回路の各々について、対応する第１計測部の計測値が目標値に近づくよう制御しており、
前記故障検知部は、前記計測部故障状態であって、かつ、前記複数の第１計測部の何れかが、計測値と目標値との差分が閾値以上であるという条件を満たす場合、前記条件を満たす第１計測部を、故障が発生している被故障計測部であると検知する
請求項３記載の電力変換システム。
【請求項５】
前記制御部は、前記複数の電力変換回路のうち、前記被故障計測部に対応する電力変換回路の動作を停止させ、残りの電力変換回路の動作を継続させる
請求項４記載の電力変換システム。
【請求項６】
前記制御部は、前記被故障計測部の個数が２個以上の場合、全ての前記複数の電力変換回路の動作を停止させる
請求項４又は５記載の電力変換システム。
【請求項７】
前記制御部は、前記被故障計測部の計測値に代えて、前記第２計測部による計測値及び前記複数の第１計測部のうちの前記被故障計測部以外の第１計測部による計測値から演算された値を用いて、前記被故障計測部に対応する電力変換回路の動作を継続させる
請求項４記載の電力変換システム。
【請求項８】
前記故障検知部は、前記計測部故障状態であって、かつ、前記複数の第１計測部の何れもが前記条件を満たさない場合、前記第２計測部を、故障が発生している被故障計測部であると検知する
請求項４記載の電力変換システム。
【請求項９】
前記制御部は、前記第２計測部の計測値に代えて、前記複数の第１計測部による計測値から演算された値を用いて、前記複数の電力変換回路の動作を継続させる
請求項８記載の電力変換システム。
【請求項１０】
前記制御部は、前記複数の電力変換回路の各々について、対応する第１計測部の計測値が目標値に近づくよう制御しており、
前記故障検知部は、前記計測部故障状態ではなく、かつ、前記複数の第１計測部の何れかが、計測値と目標値との差分が閾値以上であるという条件を満たす場合、前記条件を満たす第１計測部に対応する電力変換回路を、故障が発生している被故障電力変換回路であると検知する
請求項３記載の電力変換システム。
【請求項１１】
前記制御部は、前記複数の電力変換回路のうち、前記被故障電力変換回路の動作を停止させ、残りの電力変換回路の動作を継続させる
請求項１０記載の電力変換システム。
【請求項１２】
前記制御部は、前記故障検知部で故障の発生が検知されると、全ての前記複数の電力変換回路の動作を停止させる
請求項１又は２記載の電力変換システム。
【請求項１３】
前記故障検知部で検知された故障箇所を通知する通知部を、さらに備える
請求項１〜１２の何れか一項に記載の電力変換システム。
【発明の詳細な説明】
【技術分野】
【０００１】
本開示は、一般に、電力変換システムに関し、より詳細には、複数の電力変換回路を備える電力変換システムに関する。
【背景技術】
【０００２】
特許文献１には、従来の電力変換装置の一例が開示されている。特許文献１の電力変換装置では、平滑コンデンサの後段に、３つの直流−直流変換器（電力変換回路）が並列に接続されている。並列接続された直流−直流変換器の出力には、出力電流をそれぞれ測定する３つの出力電流センサを介して負荷が接続されている。制御手段は、３つの出力電流センサにて測定された出力電流から、３つの直流−直流変換器の制御を行う。
【０００３】
制御手段は、直流−直流変換器フェール判定手段を含んでいる。直流−直流変換器フェール判定手段は、３つの出力電流センサにて測定された出力電流から、３つの直流−直流変換器の故障を判定する。この電力変換装置では、出力電流センサにて検出された出力電流のいずれかが、予め決められた出力電流フェール閾値以上である場合に、出力電流が出力電流フェール閾値以上である直流−直流変換器を故障と判定している。
【先行技術文献】
【特許文献】
【０００４】
【特許文献１】特開２０１５−９５９７０号公報
【発明の概要】
【発明が解決しようとする課題】
【０００５】
特許文献１では、例えば、出力電流センサ（第１計測部）に故障が発生した場合であっても、この出力電流センサで出力電流が測定される直流−直流変換器（電力変換回路）の故障である、と判定される。このため、特許文献１では、実際の故障箇所（出力電流センサ又は直流−直流変換器）に応じた制御を行うのが難しいという問題があった。
【０００６】
本開示は上記事由に鑑みてなされ、故障箇所に応じた制御を行うことを可能とする電力変換システムを提供することを目的とする。
【課題を解決するための手段】
【０００７】
本開示の一態様に係る電力変換システムは、複数の電力変換回路と、制御部と、故障検知部と、を備える。前記複数の電力変換回路は、一対の第１端子と一対の第２端子との間に電気的に並列接続され、入力された電圧を所望の電圧に変換する。前記制御部は、前記複数の電力変換回路の動作を制御する。前記故障検知部は、複数の第１計測部の計測値と、第２計測部の計測値とから、前記複数の第１計測部、前記第２計測部、及び前記複数の電力変換回路の何れに故障が発生しているかを検知する。前記複数の第１計測部は、前記複数の電力変換回路に一対一に対応するように設けられて、対応する電力変換回路を流れる電流をそれぞれ計測する。前記第２計測部は、前記一対の第１端子を流れる電流を計測する。
【０００８】
本開示の別の態様に係る電力変換システムは、複数の電力変換回路と、制御部と、故障検知部と、を備える。前記複数の電力変換回路では、各々が備える第１コンデンサが一対の第１端子間に電気的に直列接続され、かつ、各々が備える第２コンデンサが一対の第２端子間に直列接続されている。前記複数の電力変換回路の各々は、前記第１及び第２コンデンサの一方を介して入力された電圧を所望の電圧に変換して前記第１及び第２コンデンサの他方から出力する。前記制御部は、前記複数の電力変換回路の動作を制御する。前記故障検知部は、複数の第１計測部の計測値と、第２計測部の計測値とから、前記複数の第１計測部、前記第２計測部、及び前記複数の電力変換回路の何れに故障が発生しているかを検知する。前記複数の第１計測部は、前記複数の電力変換回路に一対一に対応するように設けられて、対応する電力変換回路の前記第１コンデンサ間の電圧をそれぞれ計測する。前記第２計測部は、前記一対の第１端子間の電圧を計測する。
【発明の効果】
【０００９】
本開示は、故障箇所に応じた制御を行うことが可能となるという利点がある。
【図面の簡単な説明】
【００１０】
【図１】図１は、実施形態１の電力変換システムの回路図である。
【図２】図２は、同上の電力変換システムにおける電力変換回路の回路図である。
【図３】図３は、同上の電力変換システムの動作を示すフローチャートである。
【図４】図４は、同上の電力変換システムの動作を示すフローチャートであり、図３の続きである。
【図５】図５は、実施形態２の電力変換システムの回路図である。
【図６】図６は、変形例における電力変換回路の回路図である。
【発明を実施するための形態】
【００１１】
以下に説明する実施形態は、本発明の種々の実施形態の一つに過ぎない。本発明の実施形態は、下記実施形態に限定されることはなく、この実施形態以外も含み得る。また、下記の実施形態は、本発明に係る技術的思想を逸脱しない範囲であれば、設計等に応じて種々の変更が可能である。
【００１２】
（１）実施形態１
（１．１）概要
図１は、本実施形態の電力変換システム１００のシステム構成図である。
【００１３】
図１に示すように、電力変換システム１００は、複数（Ｎ個；Ｎは２以上の整数であって、ここではＮ＝３）の電力変換回路１１〜１３と、処理装置２と、を備えている。処理装置２は、制御部２０と、故障検知部２１と、記憶部２２と、通知部２３と、を備えている。複数の電力変換回路１１〜１３は、一対の第１端子と一対の第２端子との間に、電気的に並列接続されている。
【００１４】
本実施形態では、電力変換システム１００は、直流電源８と中間バス９との間に電気的に接続されている。電力変換システム１００において、一対の第１端子と一対の第２端子とのうちの一方は、直流電源８に電気的に接続される一対の電源側端子３１，３２であり、他方は、中間バス９に電気的に接続される一対のバス側端子４１，４２である。ここでは、一対の第１端子が一対の電源側端子３１，３２であり、一対の第２端子が一対のバス側端子４１，４２であるとする。
【００１５】
図１に示すように、複数の電力変換回路１１〜１３に一対一に対応するように、複数の第１計測部５１〜５３が設けられている。複数の第１計測部５１〜５３の各々は、対応する電力変換回路１１〜１３を流れる電流を計測する。より詳細には、複数の第１計測部５１〜５３の各々は、対応する電力変換回路１１〜１３と一対の第１端子（一対の電源側端子３１，３２）との間を流れる電流を計測する。
【００１６】
また、一対の第１端子（一対の電源側端子３１，３２）と直流電源８との間の電路には、第２計測部６が設けられている。第２計測部６は、一対の第１端子（一対の電源側端子３１，３２）を流れる電流を計測する。第２計測部６は、例えば、直流電源８と一体に設けられており、直流電源８が出力電流の大きさを調整するために用いられる電流センサである。
【００１７】
電力変換システム１００において、複数の電力変換回路１１〜１３の各々は、入力された電圧を所望の電圧に変換する。制御部２０は、複数の第１計測部５１〜５３の計測結果（計測値）を用いて、複数の電力変換回路１１〜１３の動作を制御する。故障検知部２１は、複数の第１計測部５１〜５３の計測値と、第２計測部６の計測値とから、複数の第１計測部５１〜５３、第２計測部６、及び複数の電力変換回路１１〜１３の何れに故障が発生しているかを検知する。
【００１８】
本実施形態の電力変換システム１００では、故障検知部２１によって、複数の第１計測部５１〜５３、第２計測部６、及び複数の電力変換回路１１〜１３の何れに故障が発生しているかを特定している。このため、本実施形態の電力変換システム１００では、制御部２０が、故障検知部２１で特定した故障箇所に応じた動作を、複数の電力変換回路１１〜１３に行わせることが可能となる。
【００１９】
（１．２）詳細
本実施形態の電力変換システム１００の構成について、図１，図２を用いて説明する。以下の説明では、複数の電力変換回路１１〜１３の各々を区別しない場合、電力変換回路１といい、複数の第１計測部５１〜５３の各々を区別しない場合、第１計測部５という。また、以下では、第１計測部５（第１計測部５１〜５３）を第１電流計測部５（第１電流計測部５１〜５３）といい、第２計測部６を第２電流計測部６という。なお、「端子」は、必ずしも、電線を接続するための部品として実体を有しなくてもよく、例えば電子部品のリードや、回路基板に含まれる導体の一部であってもよい。
【００２０】
図１に示すように、本実施形態の電力変換システム１００は、複数（ここでは３つ）の電力変換回路１１〜１３と、処理装置２と、報知装置２３０と、を備えている。処理装置２は、制御部２０と、故障検知部２１と、記憶部２２と、通知部２３と、を備えている。また、本実施形態の電力変換システム１００は、一対の電源側端子３１，３２及び一対のバス側端子４１，４２を備えている。さらに、電力変換システム１００には、複数（ここでは３つ）の第１電流計測部５１〜５３、及び第２電流計測部６が設けられている。
【００２１】
一対の電源側端子３１，３２には、直流電源８が電気的に接続されている。一対の電源側端子３１，３２間には、直流電源８から直流電圧が入力される。以下、一対の電源側端子３１，３２間に入力される直流電圧を「入力電圧Ｖ１」という。ここでは、直流電源８として蓄電池を想定しているが、これに限られない。直流電源８は、太陽電池又は燃料電池等であってもよい。
【００２２】
一対のバス側端子４１，４２は、中間バス９に電気的に接続されている。中間バス９には、例えばインバータ回路（ＤＣ−ＡＣインバータ回路）９１が電気的に接続されている。このため、一対のバス側端子４１，４２から出力される直流電圧は、インバータ回路９１に入力される。以下、一対のバス側端子４１，４２間から出力される電圧を「出力電圧Ｖ２」という。インバータ回路９１は、例えば４つのスイッチング素子からなるフルブリッジ・インバータであり、電力変換システム１００から出力される直流電圧を、交流電圧に変換する。インバータ回路９１の出力する交流電圧は、負荷９２に供給される。
【００２３】
負荷９２は、交流電圧を受けて動作する機器又は電力系統等であり、ここでは電力系統である。負荷９２が電力系統である場合、インバータ回路９１は、電力系統の系統電圧の位相と同期した電流が流れるように制御される。
【００２４】
本実施形態の電力変換システム１００は、インバータ回路９１とともにパワーコンディショナを構成する。パワーコンディショナは、定常時、系統連系運転を行い、直流電源８から入力される直流電力を交流電力に変換し、電力系統へ出力する。また、パワーコンディショナは、電力系統の停電等の異常時には、解列器を開放し、電力系統から解列された状態で交流電力を出力する自立運転を行う。
【００２５】
本実施形態の電力変換システム１００において、複数の電力変換回路１は、一対の電源側端子３１，３２と一対のバス側端子４１，４２との間に電気的に並列接続されている。複数の電力変換回路１は、出力電圧Ｖ２が安定するように、入力電圧Ｖ１を昇圧して出力する。ここで、「出力電圧Ｖ２が安定する」とは、出力電圧Ｖ２の電圧値が大幅に変動しないように出力電圧Ｖ２の電圧値の変動が抑制されている状態を意味し、出力電圧Ｖ２が一定の電圧に維持される状態だけでなく、出力電圧Ｖ２が一定の電圧を含むある範囲に収まる状態を含む。例えば、負荷９２が電力系統であれば、電力変換回路１は、出力電圧Ｖ２が基準電圧以上となるように（つまり、出力電圧Ｖ２が系統電圧よりも高くなるように）入力電圧Ｖ１を昇圧する。基準電圧は、例えば３００〜３３０〔Ｖ〕である。
【００２６】
本実施形態では、複数の電力変換回路１の各々は、非絶縁式の昇圧型のＤＣ−ＤＣコンバータである。図２に示すように、電力変換回路１は、一対の入力端子Ｔ１１，Ｔ１２と、２つのコンデンサＣ１，Ｃ２と、インダクタＬ１と、ダイオードＤ１と、スイッチング素子Ｑ１と、一対の出力端子Ｔ２１，Ｔ２２と、を備えている。
【００２７】
コンデンサＣ１は、一対の入力端子Ｔ１１，Ｔ１２間に電気的に接続されている。コンデンサＣ２は、一対の出力端子Ｔ２１，Ｔ２２間に電気的に接続されている。インダクタＬ１の第１端は、高電位側の入力端子Ｔ１１に電気的に接続され、第２端はダイオードＤ１のアノードに電気的に接続されている。ダイオードＤ１のカソードは、高電位側の出力端子Ｔ２１に電気的に接続されている。スイッチング素子Ｑ１は、エンハンスメント型のｎチャネルＭＯＳＦＥＴ（Metal-Oxide-Semiconductor Field-Effect Transistor）からなる。スイッチング素子Ｑ１のソースは、低電位側の入力端子Ｔ１２および出力端子Ｔ２２に電気的に接続されている。スイッチング素子Ｑ１のドレインは、インダクタＬ１の第２端およびダイオードＤ１のアノードに電気的に接続されている。スイッチング素子Ｑ１は、制御部２０から与えられる制御信号によりオン／オフする。言い換えれば、スイッチング素子Ｑ１は、制御部２０により制御される。スイッチング素子Ｑ１はＭＯＳＦＥＴに限定されず、例えばＩＧＢＴ（Insulated Gate Bipolar Transistor：絶縁ゲートバイポーラトランジスタ）又はバイポーラトランジスタ等の、他の半導体スイッチ素子であってもよい。
【００２８】
電力変換回路１における一対の入力端子Ｔ１１，Ｔ１２は、電力変換システム１００における一対の電源側端子３１，３２と、それぞれ電気的に接続されている。したがって、一対の入力端子Ｔ１１，Ｔ１２間には、直流電源８から直流電圧（入力電圧Ｖ１）が入力される。電力変換回路１における一対の出力端子Ｔ２１，Ｔ２２は、電力変換システム１００における一対のバス側端子４１，４２と、それぞれ電気的に接続されている。電力変換回路１は、一対の入力端子Ｔ１１，Ｔ１２間に入力される直流電圧（入力電圧Ｖ１）を、所望の直流電圧（出力電圧Ｖ２）に変換し、変換後の直流電圧を一対の出力端子Ｔ２１，Ｔ２２から中間バス９（インバータ回路９１）へ出力する。
【００２９】
複数の第１電流計測部５１〜５３は、複数の電力変換回路１１〜１３に一対一に対応して設けられている。詳しくは、第１電流計測部５１が電力変換回路１１に対応し、第１電流計測部５２が電力変換回路１２に対応し、第１電流計測部５３が電力変換回路１３に対応する。複数の第１電流計測部５の各々は、対応する電力変換回路１を流れる電流を検出する機能を有している。
【００３０】
複数の第１電流計測部５の各々は、図１に示すように、対応する電力変換回路１の高電位側の入力端子Ｔ１１と、分岐点Ｐ１と、の間に設けられている。分岐点Ｐ１は、高電位側の電源側端子３１から、この電力変換回路１に電流が流れる経路と他の電力変換回路１に流れる経路とに分岐する点である。すなわち、本実施形態では、複数の第１電流計測部５の各々は、高電位側の電源側端子３１（あるいは分岐点Ｐ１）から対応する電力変換回路１へと流れ込む電流を、計測している。
【００３１】
第２電流計測部６は、図１に示すように、一対の電源側端子３１，３２と直流電源８との間に設けられている。第２電流計測部６は、一対の電源側端子３１，３２を流れる電流を検出する機能を有している。具体的には、第２電流計測部６は、直流電源８の高電位側の出力端子と、高電位側の電源側端子３１と、の間に設けられている。すなわち、本実施形態では、第２電流計測部６は、直流電源８から高電位側の電源側端子３１（あるいは分岐点Ｐ１）へと流れ込む電流を、計測している。
【００３２】
複数の第１電流計測部５及び第２電流計測部６の各々は、例えばカレントトランスを用いて構成され、計測値（電流の実効値）に応じた信号を、処理装置２に対して出力する。
【００３３】
処理装置２は、複数の第１電流計測部５、及び第２電流計測部６の計測結果（計測値）を取得し、取得した計測値を参照して、複数の電力変換回路１のスイッチング素子Ｑ１を制御する。
【００３４】
処理装置２は、例えばマイコン（マイクロコンピュータ）やＤＳＰ（Digital Signal Processor）を主構成としており、メモリに記憶されているプログラムを実行することにより各種処理を実行する。処理装置２は、プログラムを実行することにより、制御部２０及び故障検知部２１の機能を実現する。プログラムは、予めメモリに記憶されていてもよく、電気通信回線を通して提供されてもよく、記憶媒体に記憶されて提供されてもよい。
【００３５】
処理装置２の記憶部２２は、例えばＲＯＭ（Read Only Memory）、ＥＥＰＲＯＭ（Electrically Erasable Programmable Read Only Memory）等の半導体メモリであり、種々の情報を記憶する。
【００３６】
処理装置２の通知部２３は、通信のためのインターフェースであり、報知装置２３０に、種々の情報を含む信号を送信するために用いられる。通知部２３は、報知装置２３０に有線で接続されて報知装置２３０に対して有線で信号を送信してもよいし、例えば近距離無線通信等を用いて、報知装置２３０に対して無線で信号を送信してもよい。
【００３７】
制御部２０は、複数の電力変換回路１の各々のスイッチング素子Ｑ１に制御信号を与え、オン／オフを切り替えることで、複数の電力変換回路１の動作を制御する。この制御信号は、ＰＷＭ（Pulse Width Modulation）信号である。なお、制御信号はＰＷＭ信号に限定されず、例えばＰＦＭ（Pulse Frequency Modulation）信号やＰＡＭ（Pulse Amplitude Modulation）信号であってもよい。
【００３８】
具体的には、制御部２０は、出力電圧Ｖ２が目標電圧に近づき、かつ、複数の電力変換回路１の各々について、対応する第１電流計測部５の計測値が目標値に近づくよう制御している。複数の電力変換回路１について、上記の目標値は共通の値であってもよいし互いに異なる値であってもよい。例えば制御信号がＰＷＭ信号の場合、制御部２０は、複数の電力変換回路１に与える制御信号のデューティを調整することにより、上記の制御を実現する。
【００３９】
故障検知部２１は、複数の第１電流計測部５の計測値及び第２電流計測部６の計測値から、複数の電力変換回路１、複数の第１電流計測部５、及び第２電流計測部６の何れかに故障が発生しているか否かを検知する。また、故障検知部２１は、複数の第１電流計測部５の計測値及び第２電流計測部６の計測値から、複数の電力変換回路１、複数の第１電流計測部５、及び第２電流計測部６の何れに故障が発生しているかを特定する。故障検知部２１が故障の発生を検知する方法、及び複数の電力変換回路１、複数の第１電流計測部５、及び第２電流計測部６の何れに故障が発生しているかを特定する方法については、「（１．３）故障検知部の動作」の欄で説明する。
【００４０】
故障検知部２１は、複数の電力変換回路１、複数の第１電流計測部５、及び第２電流計測部６の何れかに故障が発生していることを検知すると、制御部２０に故障の発生を通知する。また、故障検知部２１は、複数の電力変換回路１、複数の第１電流計測部５、及び第２電流計測部６のうちの何れに故障が発生しているか（すなわち、故障箇所）を、制御部２０に通知する。また、故障検知部２１は、通知部２３を介して報知装置２３０に、複数の電力変換回路１、複数の第１電流計測部５、及び第２電流計測部６のうちの何れに故障が発生しているかを通知する。
【００４１】
制御部２０は、故障検知部２１から故障箇所の通知を受けると、故障箇所に応じて複数の電力変換回路１の動作を制御（変更）する。故障検知部２１から故障箇所の通知を受け取った場合に、制御部２０が複数の電力変換回路１の動作を制御（変更）する方法については、「（１．４）故障検知時の動作」の欄で説明する。
【００４２】
報知装置２３０は、例えば、ディスプレイ等のような視覚的に情報を表示する装置を備えている。報知装置２３０は、例えば、通知部２３から受け取った信号に基づいて、故障箇所を示す文字情報を表示する。ただし、報知装置２３０の構成はこれに限られない。例えば、報知装置２３０は、複数の電力変換回路１、複数の第１電流計測部５、及び第２電流計測部６にそれぞれ対応付けられた複数の光源（例えばＬＥＤ：Light Emitting Diode）を備え、故障箇所に対応した光源を点灯させてもよい。また、報知装置２３０は、視覚的に情報を表示する装置に限られず、例えば、音声又はブザー音によって聴覚的に情報を出力する装置であってもよい。
【００４３】
（１．３）故障検知部の動作
次に、故障検知部２１が、故障の発生を検知する方法、及び故障箇所を特定する方法について、図３、図４のフローチャートを参照して説明する。なお、この欄の説明では、複数の電力変換回路１及び複数の第１電流計測部５の個数を、“Ｎ（Ｎは２以上の整数）”で表すこととする。また、適宜、Ｎ個の電力変換回路１を電力変換回路１ｎ（ｎは、１〜Ｎのうちの任意の整数）と記載して互いに区別し、Ｎ個の第１電流計測部５を第１電流計測部５ｎ（ｎは、１〜Ｎのうちの任意の整数）と記載して互いに区別する。
【００４４】
動作を開始すると、故障検知部２１は、まず、計測部故障状態であるか否かの判定を行う。計測部故障状態は、複数の第１電流計測部５１〜５Ｎ及び第２電流計測部６のうちの何れかに故障が発生している状態である。
【００４５】
故障検知部２１は、複数の第１電流計測部５１〜５Ｎから計測値Ｉ１１〜Ｉ１Ｎをそれぞれ取得し、第２電流計測部６から計測値Ｉ２を取得する（Ｓ１）。次に、故障検知部２１は、複数の第１電流計測部５１〜５Ｎから取得した計測値Ｉ１１〜Ｉ１Ｎの合計値を求め、求めた合計値と第２電流計測部６の計測値Ｉ２との差分（絶対値）Ｉdifを求める。また、故障検知部２１は、求めた差分Ｉdifが所定の判定閾値Ｉth以上であるか否かを判定する（Ｓ２）。ここで、判定閾値Ｉthは任意の大きさを有していてよいが、例えば、第２電流計測部６の計測値Ｉ２の大きさよりも小さな値に設定される。上記のように、第２電流計測部６は分岐点Ｐ１よりも直流電源８側の電路の電流を計測しており、複数の第１電流計測部５１〜５Ｎは、分岐点Ｐ１から分岐された複数の電力変換回路１１〜１Ｎを流れる電流をそれぞれ計測している。よって、複数の第１電流計測部５１〜５Ｎ及び第２電流計測部６の何れにも故障が発生していない場合、複数の第１電流計測部５１〜５Ｎの計測値Ｉ１１〜Ｉ１Ｎの合計値と、第２電流計測部６の計測値Ｉ２とは略等しくなり、差分Ｉdifは略０となる。これに基づき、故障検知部２１は、差分Ｉdifが判定閾値Ｉth以上である場合（Ｓ２：Ｙｅｓ）には、複数の第１電流計測部５１〜５Ｎ及び第２電流計測部６の何れかに故障が発生している（計測部故障状態である）と検知する（Ｓ３）。
【００４６】
計測部故障状態である場合、故障検知部２１は、複数の第１電流計測部５１〜５Ｎと第２電流計測部６のうちの、何れに故障が発生しているかを特定する。具体的には、故障検知部２１は、複数の電力変換回路１ｎ（ｎは、１〜Ｎのうちの任意の整数）の各々について、対応する第１電流計測部５ｎの計測値Ｉ１ｎと目標値との差分（絶対値）Ｄｎを求める。また、故障検知部２１は、複数の電力変換回路１ｎの各々について、求めた差分Ｄｎが所定の第１閾値Ｔｈｎ以上であるか否かを判定する。故障検知部２１は、差分Ｄｎが第１閾値Ｔｈｎ以上であるという条件を満たす電力変換回路１があれば、条件を満たした電力変換回路１に対応する第１電流計測部５を、故障が発生している被故障計測部であると検知する。なお、第１閾値Ｔｈｎは、複数の電力変換回路１ｎで共通であってもよいし互いに異なっていてもよい。
【００４７】
より詳細には、故障検知部２１は、計測部故障状態である場合、複数の電力変換回路１ｎの各々について、対応する第１電流計測部５ｎが被故障計測部であるか否かを順番に判定する。故障検知部２１は、まず、判定順ｉ（ｉは、１〜Ｎの整数）が１番目（ｉ＝１）の電力変換回路１１について（Ｓ４）、求めた差分Ｄ１が第１閾値Ｔｈ１以上であるか否かを判定する（Ｓ５）。差分Ｄ１が第１閾値Ｔｈ１未満の場合（Ｓ５：Ｎｏ）、故障検知部２１は、１番目の電力変換回路１１に対応する第１電流計測部５１を、故障が発生していない正常計測部であると判定する（Ｓ６）。一方、差分Ｄ１が第１閾値Ｔｈ１以上の場合（Ｓ５：Ｙｅｓ）、故障検知部２１は、１番目の電力変換回路１１に対応する第１電流計測部５１を、故障が発生している被故障計測部であると判定する（Ｓ７）。故障検知部２１は、処理装置２の記憶部２２に、この第１電流計測部５１が被故障計測部である旨を記憶させる（Ｓ８）。また、故障検知部２１は、被故障計測部の数を示す被故障数ＦＳ（初期値は０）を１だけ増加させる（Ｓ９）。
【００４８】
上記のステップＳ６及びステップＳ９の何れかの後、故障検知部２１は、判定順ｉを１だけ増加させ（Ｓ１０）、判定順ｉが第１電流計測部５の個数Ｎを超えたか否かを判定する（Ｓ１１）。判定順ｉが第１電流計測部５の個数Ｎを超えていなければ（Ｓ１１：Ｎｏ）、故障検知部２１はステップＳ５に戻り、次の電力変換回路１ｉについて、ステップＳ５〜Ｓ９の動作を行う。一方、ステップＳ１１において判定順ｉが第１電流計測部５の個数Ｎを超えていれば（Ｓ１１：Ｙｅｓ）、故障検知部２１は、全ての電力変換回路１ｎについて、第１電流計測部５ｎが被故障計測部であるか否かの判定が終了したと判断する。
【００４９】
続いて、故障検知部２１は、被故障数ＦＳが初期値よりも大きいか否かを判定する（Ｓ１２）。被故障数ＦＳが初期値よりも大きい場合（Ｓ１２：Ｙｅｓ）、故障検知部２１は、複数の第１電流計測部５１〜５Ｎの何れかに故障が発生していると判定する（Ｓ１３）。また故障検知部２１は、記憶部２２から、何れの第１電流計測部５が被故障計測部であるかを読み出して、制御部２０及び報知装置２３０に被故障計測部の通知を行い（Ｓ１４）、動作を終了する。一方、被故障数ＦＳが初期値のままの場合（Ｓ１２：Ｎｏ）、故障検知部２１は、第２電流計測部６に故障が発生していると判定し（Ｓ１５）、制御部２０及び報知装置２３０に、第２電流計測部６に故障が発生している旨の通知を行い（Ｓ１４）、動作を終了する。
【００５０】
ステップＳ２に戻って、差分Ｉdifが判定閾値Ｉth未満である場合（Ｓ２：Ｎｏ）、故障検知部２１は、複数の第１電流計測部５１〜５Ｎ及び第２電流計測部６には故障が発生していない（計測部正常状態である）と判定する（Ｓ２１）。計測部正常状態では、故障検知部２１は、複数の電力変換回路１ｎに故障が発生しているか否かを判定する。
【００５１】
計測部正常状態である場合、故障検知部２１は、複数の電力変換回路１ｎの各々について、対応する第１電流計測部５ｎの計測値Ｉ１ｎと目標値との差分（絶対値）Ｄｎを求める。また、故障検知部２１は、複数の電力変換回路１ｎの各々について、求めた差分Ｄｎが所定の第２閾値Ｔｘｎ以上であるか否かを判定する。故障検知部２１は、差分Ｄｎが第２閾値Ｔｘｎ以上であるという条件を満たす電力変換回路１があれば、条件を満たした電力変換回路１を、故障が発生している被故障電力変換回路であると検知する。なお、第２閾値Ｔｘｎは、複数の電力変換回路１ｎで共通であってもよいし互いに異なっていてもよい。また、複数の電力変換回路１ｎの各々において、第２閾値Ｔｘｎは、第１閾値Ｔｈｎと同じであってもよいし異なっていてもよい。
【００５２】
より詳細には、故障検知部２１は、計測部正常状態である場合、複数の電力変換回路１ｎの各々について、被故障電力変換回路であるか否かを順番に検知する。故障検知部２１は、まず、複数の電力変換回路１ｎの各々について、対応する第１電流計測部５ｎの計測値Ｉ１ｎと目標値との差分（絶対値）Ｄｎを求める。そして、故障検知部２１は、判定順ｊ（ｉは、１〜Ｎの整数）が１番目（ｊ＝１）の電力変換回路１１について（Ｓ２２）、求めた差分Ｄ１が第２閾値Ｔｘ１以上であるか否かを判定する（Ｓ２３）。差分Ｄ１が第２閾値Ｔｘ１未満の場合（Ｓ２３：Ｎｏ）、故障検知部２１は、１番目の電力変換回路１１を、故障が発生していない正常電力変換回路であると検知する（Ｓ２４）。一方、差分Ｄ１が第２閾値Ｔｘ１以上の場合（Ｓ２３：Ｙｅｓ）、故障検知部２１は、１番目の電力変換回路１１を、故障が発生している被故障電力変換回路であると判定する（Ｓ２５）。故障検知部２１は、処理装置２の記憶部２２に、この電力変換回路１１が被故障電力変換回路である旨を記憶させる（Ｓ２６）。また、故障検知部２１は、被故障電力変換回路の数を示す被故障数ＦＣ（初期値は０）を１だけ増加させる（Ｓ２７）。
【００５３】
上記のステップＳ２４及びステップＳ２７の何れかの後、故障検知部２１は、判定順ｊを１だけ増加させ（Ｓ２８）、判定順ｊが電力変換回路１の個数Ｎを超えたか否かを判定する（Ｓ２９）。判定順ｊが電力変換回路１の個数Ｎを超えていなければ（Ｓ２９：Ｎｏ）、故障検知部２１はステップＳ２３に戻り、次の電力変換回路１ｊについて、ステップＳ２３〜Ｓ２８の動作を行う。一方、ステップＳ２９において判定順ｊが電力変換回路１の個数Ｎを超えていれば（Ｓ２９：Ｙｅｓ）、故障検知部２１は、全ての電力変換回路１ｎについて、被故障電力変換回路であるか否かの判定が終了したと判断する。
【００５４】
続いて、故障検知部２１は、被故障数ＦＣが初期値よりも大きいか否かを判定する（Ｓ３０）。被故障数ＦＣが初期値よりも大きい場合（Ｓ３０：Ｙｅｓ）、故障検知部２１は、複数の電力変換回路１１〜１Ｎの何れかに故障が発生していると判定する（Ｓ３１）。また故障検知部２１は、記憶部２２から、何れの電力変換回路が被故障電力変換回路であるかを読み出し、制御部２０及び報知装置２３０に被故障電力変換回路の通知を行い（Ｓ１４）、動作を終了する。一方、被故障数ＦＣが初期値のままの場合（Ｓ３０：Ｎｏ）、故障検知部２１は、複数の第１電流計測部５、第２電流計測部６、及び複数の電力変換回路１の何れにも故障が発生していないと判定し（Ｓ３２）、動作を終了する。
【００５５】
故障検知部２１は、任意のタイミング（例えば一定周期）で上記の動作を行い、故障の発生の有無の判定及び故障箇所の特定を行う。
【００５６】
（１．４）故障検知時の動作
次に、故障検知部２１から故障箇所の通知を受けた際の制御部２０の動作について、図１に示す例を用いて説明する。制御部２０は、通知された故障箇所に応じて、複数の電力変換回路１の動作を制御（変更）する。
【００５７】
（１．４．１）第１計測部の故障時
まず、制御部２０が、故障検知部２１から、複数の第１電流計測部５１〜５３の何れかに故障が発生している（複数の第１電流計測部５１〜５３のうちの何れかが被故障計測部である）旨の通知を受けた場合について、説明する。
【００５８】
制御部２０は、故障検知部２１から通知を受け取ると、被故障計測部の数（被故障数ＦＳ）を判定する。制御部２０は、被故障数ＦＳが２以上であれば、複数の電力変換回路１を正常に動作させるのに困難が生じる可能性があると判定して、例えば、全ての電力変換回路１１〜１３の動作を停止させる。
【００５９】
一方、制御部２０は、被故障数ＦＳが１であれば、複数の電力変換回路１１〜１３を正常に動作させることが可能と判定して、複数の電力変換回路１１〜１３の動作を継続させる。このときに、制御部２０が複数の電力変換回路１１〜１３を動作させる方法について、以下に説明する。なお、以下では、複数の第１電流計測部５１〜５３のうち、第１電流計測部５１に故障が発生した場合について説明するが、第１電流計測部５２又は第１電流計測部５３に故障が発生した場合も同様である。
【００６０】
制御部２０は、上記のように、複数の第１電流計測部５１〜５３から計測値Ｉ１１〜Ｉ１３を取得し、第２電流計測部６から計測値Ｉ２を取得している。ここで、制御部２０は、第１電流計測部５１が被故障計測部である旨の通知を故障検知部２１から受けた場合、第１電流計測部５１から取得した計測値Ｉ１１は正しい値ではない（実際に電力変換回路１１を流れる電流を反映していない）と判定する。そして、制御部２０は、第２電流計測部６から取得した計測値Ｉ２及び残りの第１電流計測部５２，５３（正常計測部）から取得した計測値Ｉ１２，Ｉ１３を用いて、第１電流計測部５１で計測されるべき電流の正しい値（演算値）を演算する。具体的には、制御部２０は、第２電流計測部６から取得した計測値Ｉ２から、第１電流計測部５２，５３から取得した計測値Ｉ１２，Ｉ１３の合計値を差し引いた値（Ｉ２−（Ｉ１２＋Ｉ１３））を、演算値とする。そして、制御部２０は、被故障計測部（第１電流計測部５１）に対応する電力変換回路１１については、求めた演算値が目標値に近づくように、電力変換回路１１の動作を制御する。なお、正常計測部である第１電流計測部５２，５３に対応する電力変換回路１２，１３については、対応する第１電流計測部５２，５３の計測値Ｉ１２，Ｉ１３が目標値に近づくように、制御部２０が電力変換回路１２，１３の動作をそれぞれ制御すればよい。
【００６１】
上記のように、本実施形態では、被故障計測部の計測値Ｉ１１に代えて、第２電流計測部６による計測値Ｉ２及び正常計測部である第１電流計測部５２，５３による計測値Ｉ１２，Ｉ１３から、演算値を算出している。そして、本実施形態では、求めた演算値を用いて、被故障計測部に対応する電力変換回路１１の動作を継続させている。これにより、第１電流計測部５の何れかに故障が発生した場合でも、全ての電力変換回路１１〜１３の動作を継続させることが可能となる。すなわち、電力変換システム１００から、複数の第１電流計測部５１〜５３に故障が発生していないときと同程度の電力を出力させることが可能となる。
【００６２】
また、本実施形態では、被故障計測部の個数（被故障数ＦＳ）が２個以上であれば、全ての電力変換回路１１〜１３の動作を停止させている。ここで、被故障計測部の数が２以上であれば、第２電流計測部６の計測値Ｉ２及び残りの第１電流計測部５（正常計測部）による計測値のみからでは、被故障計測部で計測されるべき電流の値それぞれを正確に求めることはできない。つまり、２個以上の被故障計測部に対応する２個以上の電力変換回路を流れる電流の、合計値しか演算できない。したがって、２個以上の被故障計測部に対応する電力変換回路を流れる電流を求めるには、例えば、被故障計測部に対応する電力変換回路を流れる電流は互いに等しい、等の仮定が必要となる。このため、被故障計測部に対応する電力変換回路の動作が不安定になる等の、不具合が発生する可能性がある。これに対し、本実施形態のように、被故障計測部の個数（被故障数ＦＳ）が２個以上であれば、全ての電力変換回路１１〜１３の動作を停止させることで、このような不具合の発生を抑制することが可能となる。
【００６３】
もちろん、第２電流計測部６の計測値及び正常計測部の計測値から、被故障計測部で計測されるべき値を正しく推定できる場合には、被故障計測部が２個以上であっても、複数の電力変換回路１の動作を継続させてもよい。例えば、複数の電力変換回路１１〜１３が全て同じ構成であって、複数の電力変換回路１１〜１３に同一の制御信号を送信することで複数の電力変換回路１１〜１３に同一の動作を行わせる構成であれば、複数の電力変換回路１１〜１３を流れる電流は略等しくなる。この場合、第２電流計測部６の計測値から正常計測部の計測値の合計値を差し引き、得られた値を等分することで、被故障計測部に対応する電力変換回路を流れる電流の値を推定することが可能である。
【００６４】
（１．４．２）第２計測部の故障時
次に、制御部２０が、故障検知部２１から、第２電流計測部６に故障が発生している旨の通知を受けた場合について、説明する。
【００６５】
上記のように、制御部２０は、複数の第１電流計測部５１〜５３から計測値Ｉ１１〜Ｉ１３を取得し、第２電流計測部６から計測値Ｉ２を取得している。ここで、制御部２０は、第２電流計測部６が被故障計測部である旨の通知を故障検知部２１から受けた場合、第２電流計測部６から取得した計測値Ｉ２は正しい値ではない（実際に一対の電源側端子３１，３２を流れている電流を反映していない）と判定する。そして、制御部２０は、複数の第１電流計測部５１〜５３から取得した計測値Ｉ１１〜Ｉ１３を用いて、第２電流計測部６で計測されるべき電流の正しい値（演算値）を演算する。具体的には、制御部２０は、複数の第１電流計測部５１〜５３から取得した計測値Ｉ１１〜Ｉ１３の合計値を、演算値として求める。制御部２０は、求めた演算値を、例えば直流電源８に送信し、直流電源８は、制御部２０から受け取った演算値を用いて動作を継続する。
【００６６】
一方、故障検知部２１は、複数の電力変換回路１１〜１３については、複数の第１電流計測部５１〜５３から取得した計測値Ｉ１１〜Ｉ１３を用いて、動作を継続させる。
【００６７】
上記のように、本実施形態では、第２電流計測部６の計測値Ｉ２に代えて、複数の第１電流計測部５１〜５３による計測値Ｉ１１〜Ｉ１３から、演算値を求めている。そして、例えば、第２電流計測部６の計測値Ｉ２を用いて動作する直流電源８に演算値を送信する等のように、求めた演算値を用いて、複数の電力変換回路１１〜１３の動作を継続させている。これにより、第２電流計測部６に故障が発生した場合でも、電力変換回路１１〜１３の動作を継続させることが可能となる。すなわち、電力変換システム１００から、第２電流計測部６に故障が発生していないときと同程度の電力を出力させることが可能となる。
【００６８】
（１．４．３）電力変換回路の故障時
最後に、制御部２０が、故障検知部２１から、複数の電力変換回路１１〜１３の何れかに故障が発生している（複数の電力変換回路１１〜１３のうちの何れかが被故障電力変換回路である）旨の通知を受けた場合について、説明する。以下では、複数の電力変換回路１１〜１３のうち、電力変換回路１１に故障が発生した場合について説明するが、電力変換回路１２又は電力変換回路１３に故障が発生した場合も同様である。
【００６９】
故障検知部２１から、電力変換回路１１が被故障電力変換回路である旨の通知を受けた場合、制御部２０は、電力変換回路１１の動作を停止させる。その一方、制御部２０は、電力変換回路１２，１３については、第１電流計測部５１，５２の計測値Ｉ１２，Ｉ１３を用いて、動作を継続させる。このように、本実施形態では、複数の電力変換回路１１〜１３の何れかに故障が発生したと検知された場合、故障が発生したと検知された電力変換回路１１の動作を停止させ、残りの電力変換回路１２，１３の動作を継続させる。これにより、電力変換回路１１の動作を停止させる分だけ、電力変換システム１００から出力可能な電力の最大値は減少するものの、電力変換システム１００からの電力の出力を継続させることが可能となる。
【００７０】
なお、出力電力が定格電力よりも小さい状態で複数の電力変換回路１１〜１３が動作しているときに、電力変換回路１１の動作を停止させる場合、制御部２０は、定格電力の範囲内で、残りの電力変換回路１２，１３の出力電力を増加させてもよい。例えば、複数の電力変換回路１１〜１３の各々の定格電力が１０００Ｗであって、それぞれが出力電力７００Ｗ（すなわち、出力電力の合計が２１００Ｗ）で動作している状態を想定する。この状態で、電力変換回路１１を停止させる場合、制御部２０は、制御信号を制御することで、電力変換回路１２，１３の出力電力を１０００Ｗ（出力電力の合計が２０００Ｗ）に増加させる。これにより、電力変換システム１００から出力される電力の減少分を、抑えることができる。
【００７１】
（２）実施形態２
実施形態２の電力変換システム２００について、図５を参照して説明する。図５は、本実施形態の電力変換システム２００のシステム構成図である。
【００７２】
本実施形態の電力変換システム２００は、複数の電力変換回路１１〜１３が、一対の第１端子と一対の第２端子との間で、いわゆる直列に接続されている点で、実施形態１の電力変換システム１００と相違する。また、本実施形態の電力変換システム２００は、複数の第１計測部５１〜５３及び第２計測部６の代わりに、複数の第１計測部２５１〜２５３及び第２計測部２６が設けられている点で、実施形態１の電力変換システム１００と相違する。複数の第１計測部２５１〜２５３の各々は、対応する電力変換回路１１〜１３の第１コンデンサ（ここでは、コンデンサＣ１）（図２参照）間の電圧をそれぞれ計測する。第２計測部２６は、一対の第１端子（ここでは、一対の電源側端子３１，３２）間の電圧を計測する。本実施形態において、実施形態１と同様の構成については、同様の符号を付して適宜説明を省略する。また、以下では、第１計測部２５（第１計測部２５１〜２５３）を第１電圧計測部２５（第１電圧計測部２５１〜２５３）といい、第２計測部２６を第２電圧計測部２６という。
【００７３】
本実施形態の電力変換システム２００では、複数の電力変換回路１１〜１３がそれぞれ備えるコンデンサＣ１が、一対の電源側端子３１，３２間に電気的に直列接続されている。具体的には、高電位側の電源側端子３１が、電力変換回路１１の高電位側の入力端子Ｔ１１に電気的に接続され、電力変換回路１１の低電位側の入力端子Ｔ１２が、電力変換回路１２の高電位側の入力端子Ｔ１１に電気的に接続されている。また、電力変換回路１２の低電位側の入力端子Ｔ１２が、電力変換回路１３の高電位側の入力端子Ｔ１１に電気的に接続され、電力変換回路１３の低電位側の入力端子Ｔ１２が、低電位側の電源側端子３２に電気的に接続されている（図２及び図５参照）。また、複数の電力変換回路１１〜１３がそれぞれ備えるコンデンサＣ２が、一対のバス側端子４１，４２間に電気的に直列接続されている。具体的には、高電位側のバス側端子４１が、電力変換回路１１の高電位側の出力端子Ｔ２１に電気的に接続され、電力変換回路１１の低電位側の出力端子Ｔ２２が、電力変換回路１２の高電位側の出力端子Ｔ２１に電気的に接続されている。また、電力変換回路１２の低電位側の出力端子Ｔ２２が、電力変換回路１３の高電位側の出力端子Ｔ２１に電気的に接続され、電力変換回路１３の低電位側の出力端子Ｔ２２が、低電位側のバス側端子４２に電気的に接続されている（図２及び図５参照）。
【００７４】
複数の電力変換回路１の各々は、一対の入力端子Ｔ１１，Ｔ１２を介して入力された電圧（入力電圧Ｖ１）を所望の電圧（出力電圧Ｖ２）に変換して、一対の出力端子Ｔ２１，Ｔ２２から出力する。すなわち、電力変換システム２００では、一対の電源側端子３１，３２に入力された直流電圧が、複数の電力変換回路１１〜１３がそれぞれ備えるコンデンサＣ１で分圧される。複数の電力変換回路１１〜１３の各々は、コンデンサＣ１間の電圧を所望の電圧に変換して、コンデンサＣ２から出力する。電力変換システム２００は、複数の電力変換回路１１〜１３がそれぞれ備えるコンデンサＣ２の合成電圧を、一対のバス側端子４１，４２から中間バス９へ出力する。
【００７５】
複数の第１電圧計測部２５の各々は、対応する電力変換回路１の第１コンデンサ（ここではコンデンサＣ１）の両端間に電気的に接続されている。複数の第１電圧計測部２５の各々は、対応する電力変換回路１の第１コンデンサ間の電圧を計測する機能を有している。
【００７６】
第２電圧計測部２６は、一対の第１端子（ここでは、一対の電源側端子３１，３２）間に電気的に接続されている。第２電圧計測部２６は、一対の第１端子間の電圧を計測する機能を有している。
【００７７】
複数の第１電圧計測部２５及び第２電圧計測部２６の各々は、例えば一対の分圧抵抗を用いて構成され、計測値（電圧値）に応じた信号を、処理装置２に対して出力する。
【００７８】
処理装置２は、複数の第１電圧計測部２５、及び第２電圧計測部２６の計測結果（計測値）を取得し、取得した計測値を参照して、出力電圧Ｖ２が目標電圧に近づくよう、複数の電力変換回路１のスイッチング素子Ｑ１を制御する。具体的には、処理装置２の制御部２０は、出力電圧Ｖ２が目標電圧に近づき、かつ、複数の電力変換回路１の各々について、対応する第１電圧計測部２５の計測値が目標値に近づくように、複数の電力変換回路１に与える制御信号のデューティを調整する。
【００７９】
故障検知部２１は、第２電圧計測部２６の計測値と、複数の第１電圧計測部２５１〜２５３の計測値との差分を求める。故障検知部２１は、求めた差分が判定閾値以上である場合には、複数の第１電圧計測部２５１〜２５３及び第２電流計測部２６の何れかに故障が発生している（計測部故障状態である）と検知する。
【００８０】
なお、制御部２０、故障検知部２１のその他の動作については、実施形態１と同様のため、詳しい説明は省略する。
【００８１】
本実施形態の電力変換システム２００であっても、複数の電力変換回路１、複数の第１電圧計測部２５、及び第２電圧計測部２６のうちの何れに故障が発生しているかを検知することが可能となる。また、故障箇所に応じた制御を行うことが可能となる。
【００８２】
（３）変形例
以下に、上記実施形態の変形例に係る電力変換システムを列記する。なお、以下に説明する変形例の各構成は、上記実施形態で説明した各構成と適宜組み合わせて適用可能である。
【００８３】
実施形態１，２における処理装置２（制御部２０及び／又は故障検知部２１）と同様の機能は、故障検知方法、コンピュータプログラム、又はプログラムを記録した非一時的な記録媒体等で具現化されてもよい。
【００８４】
一態様に係る故障検知方法は、複数の電力変換回路１と、複数の電力変換回路１の動作を制御する制御部２０と、を備えた電力変換システム１００で用いられる。故障検知方法は、複数の第１計測部５の計測値と、複数の第２計測部６の計測値とから、複数の第１計測部５、第２計測部６、及び複数の電力変換回路１の何れに故障が発生しているかを検知する。ここにおいて、複数の電力変換回路１は、一対の第１端子（一対の電源側端子３１，３２）と一対の第２端子（一対のバス側端子４１，４２）との間に電気的に並列接続され、入力された電圧を所望の電圧に変換する。また、複数の第１計測部５は、複数の電力変換回路１に一対一に対応するように設けられて対応する電力変換回路１を流れる電流をそれぞれ計測する。第２計測部６は、一対の第１端子を流れる電流を計測する。
【００８５】
一態様に係るプログラムは、コンピュータシステムに、故障検知処理を実行させるためのプログラムである。プログラムは、複数の電力変換回路１と、複数の電力変換回路１の動作を制御する制御部２０と、を備えた電力変換システム１００で用いられる。故障検知処理は、複数の第１計測部５の計測値と、第２計測部６の計測値とから、複数の第１計測部５、第２計測部６、及び複数の電力変換回路１の何れに故障が発生しているかを検知する処理である。ここにおいて、複数の電力変換回路１は、一対の第１端子（一対の電源側端子３１，３２）と一対の第２端子（一対のバス側端子４１，４２）との間に電気的に並列接続され、入力された電圧を所望の電圧に変換する。また、複数の第１計測部５は、複数の電力変換回路１に一対一に対応するように設けられて対応する電力変換回路１を流れる電流をそれぞれ計測する。第２計測部６は、一対の第１端子を流れる電流を計測する。
【００８６】
一態様に係る故障検知方法は、複数の電力変換回路１と、複数の電力変換回路１の動作を制御する制御部２０と、を備えた電力変換システム２００で用いられる。故障検知方法は、複数の第１計測部２５の計測値と、第２計測部２６の計測値とから、複数の第１計測部２５、第２計測部２６、及び複数の電力変換回路１の何れに故障が発生しているかを検知する。ここにおいて、複数の電力変換回路１では、各々が備える第１コンデンサ（コンデンサＣ１）が一対の第１端子（一対の電源側端子３１，３２）間に電気的に直列接続されている。複数の電力変換回路１では、各々が備える第２コンデンサ（コンデンサＣ２）が一対の第２端子（一対のバス側端子４１，４２）間に電気的に直列接続されている。複数の電力変換回路１は、第１及び第２コンデンサの一方を介して入力された電圧を所望の電圧に変換して第１及び第２コンデンサの他方から出力する。複数の第１計測部２５は、複数の電力変換回路１に一対一に対応するように設けられて対応する電力変換回路１の第１コンデンサ間の電圧をそれぞれ計測する。第２計測部２６は、一対の第１端子間の電圧を計測する。
【００８７】
一態様に係るプログラムは、コンピュータシステムに、故障検知処理を実行させるためのプログラムである。プログラムは、複数の電力変換回路１と、複数の電力変換回路１の動作を制御する制御部２０と、を備えた電力変換システム２００で用いられる。故障検知処理は、複数の第１計測部２５の計測値と、第２計測部２６の計測値とから、複数の第１計測部２５、第２計測部２６、及び複数の電力変換回路１の何れに故障が発生しているかを検知する処理である。ここにおいて、複数の電力変換回路１では、各々が備える第１コンデンサ（コンデンサＣ１）が一対の第１端子（一対の電源側端子３１，３２）間に電気的に直列接続されている。複数の電力変換回路１では、各々が備える第２コンデンサ（コンデンサＣ２）が一対の第２端子（一対のバス側端子４１，４２）間に電気的に直列接続されている。複数の電力変換回路１は、第１及び第２コンデンサの一方を介して入力された電圧を所望の電圧に変換して第１及び第２コンデンサの他方から出力する。複数の第１計測部２５は、複数の電力変換回路１に一対一に対応するように設けられて対応する電力変換回路１の第１コンデンサ間の電圧をそれぞれ計測する。第２計測部２６は、一対の第１端子間の電圧を計測する。
【００８８】
ここで、制御部２０、制御方法及び／又は故障検知部２１、故障検知方法の実行主体は、コンピュータシステムを含んでいる。コンピュータシステムは、ハードウェアとしてのプロセッサ及びメモリを主構成とする。コンピュータシステムのメモリに記録されたプログラムをプロセッサが実行することによって、制御部２０、制御方法及び／又は故障検知部２１又は故障検知方法の実行主体としての機能が実現される。プログラムは、コンピュータシステムのメモリに予め記録されていてもよい。また、プログラムは、電気通信回線を通じて提供されてもよいし、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００８９】
また、実施形態１，２の処理装置２は、１つの装置で実現されているが、この構成に限定されない。電力変換システム１００、２００の制御部２０、故障検知部２１、通知部２３の機能のうちの少なくとも１つの機能が、２つ以上のシステムに分散して設けられてもよい。また、制御部２０、故障検知部２１、通知部２３の各々の機能が、複数の装置に分散して設けられていてもよい。例えば、電力変換システム１００のある特定の機能が、複数のシステムに分散して設けられてもよい。また、電力変換システム１００の少なくとも一部の機能は、例えば、クラウド（クラウドコンピューティング）によって実現されてもよい。
【００９０】
制御部２０は、複数の第１計測部５１〜５３（２５１〜２５３）の何れかが被故障計測部であると検知された場合、被故障計測部に対応する電力変換回路１の動作を停止させ、残りの電力変換回路１の動作を継続させてもよい。例えば、第１電流計測部５１が被故障計測部であると故障検知部２１によって検知された場合、制御部２０は、第１電流計測部５１に対応する電力変換回路１１の動作を停止させ、残りの電力変換回路１２，１３の動作を継続させてもよい。この場合、被故障計測部に対応する電力変換回路１の動作を停止させる分だけ、電力変換システム１００から出力可能な電力の最大値は減少するものの、電力変換システム１００からの電力の出力を継続させることが可能となる。
【００９１】
制御部２０は、複数の電力変換回路１、複数の第１計測部５１〜５３（２５１〜２５３）、第２計測部６（２６）のうちの何れかで故障が発生していると検知されると、全ての電力変換回路１１〜１３の動作を停止させてもよい。この場合、故障が発生した可能性のある装置（第１計測部５（２５）、第２計測部６（２６）、電力変換回路１の何れか）を含むシステムの動作が、全て停止されるので、安全性を向上させることが可能となる。
【００９２】
電力変換回路１の回路構成は、図２の構成に限られない。例えば、電力変換回路１は、図６に示すように、双方向チョッパ回路で構成されていてもよい。この電力変換回路１は、図２の回路において、ダイオードＤ１の代わりにスイッチング素子Ｑ２を備えている。スイッチング素子Ｑ２は、エンハンスメント型のｎチャネルＭＯＳＦＥＴ（Metal-Oxide-Semiconductor Field-Effect Transistor）からなる。具体的には、この電力変換回路１は、２つのコンデンサＣ１，Ｃ２と、インダクタＬ１と、２つのスイッチング素子Ｑ１，Ｑ２とを備えている。コンデンサＣ１は、一対の第１接続端子Ｔ１１，Ｔ１２間に電気的に接続されている。コンデンサＣ２は、一対の第２接続端子Ｔ２１，Ｔ２２間に電気的に接続されている。インダクタＬ１の第１端は、高電位側の第１接続端子Ｔ１１に電気的に接続され、第２端はスイッチング素子Ｑ１のドレインおよびスイッチング素子Ｑ２のソースに電気的に接続されている。スイッチング素子Ｑ１のソースは、低電位側の第１接続端子Ｔ１２および第２接続端子Ｔ２２に電気的に接続されている。この電力変換回路１は、制御部２０がスイッチング素子Ｑ１，Ｑ２を制御することにより、一対の第１接続端子Ｔ１１，Ｔ１２間に入力される直流電圧を変換して一対の第２接続端子Ｔ２１，Ｔ２２間に出力する機能を有する。また、この電力変換回路１は、さらに、一対の第２接続端子Ｔ２１，Ｔ２２間に入力される直流電圧を変換して一対の第１接続端子Ｔ１１，Ｔ１２間に出力する機能も有する。したがって、この電力変換回路１を備えた電力変換システム１００では、直流電源８としての蓄電池の充電および放電を行うことが可能である。
【００９３】
電力変換回路１は、直流電圧を直流電圧に変換するいわゆるＤＣ−ＤＣコンバータに限られない。電力変換回路１は、直流電圧を交流電圧に変換するいわゆるＤＣ−ＡＣインバータであってもよい。この場合、例えば、一対のバス側端子４１，４２に、電力系統等の交流の負荷９２が電気的に接続される。
【００９４】
一対の第１端子が、一対のバス側端子４１，４２であって、一対の第２端子が、一対の電源側端子３１，３２であってもよい。一具体例では、実施形態１の電力変換回路１００において、複数の第１電流計測部５の各々は、対応する電力変換回路１の一対の出力端子Ｔ２１，Ｔ２２と一対のバス側端子４１，４２との間の電路に設けられ、第２電流計測部６は、一対のバス側端子４１，４２に設けられる。この場合、複数の第１電流計測部５の各々は、対応する電力変換回路１の一対の出力端子Ｔ２１，Ｔ２２を流れる電流を計測し、第２計測部６は、一対のバス側端子４１，４２を流れる電流を計測する。別の具体例では、実施形態２の電力変換装置２００において、複数の第１電圧計測部２５の各々は、対応する電力変換回路１の一対の出力端子Ｔ２１，Ｔ２２の間に設けられ、第２電圧計測部２６は、一対のバス側端子４１，４２の間に設けられる。この場合、複数の第１電圧計測部２５の各々は、対応する電力変換回路１の一対の出力端子Ｔ２１，Ｔ２２間の電圧を計測し、第２電圧計測部２６は、一対のバス側端子４１，４２間の電圧を計測する。
【００９５】
さらに、複数の第１電流計測部５の各々が、対応する電力変換回路１の一対の入力端子Ｔ１１，Ｔ１２を流れる電流を計測し、第２電流計測部６が、一対のバス側端子４１，４２を流れる電流を計測してもよい。この場合、故障検知部２１は、第２電流計測部６で計測された計測値と、入力電圧Ｖ１と出力電圧Ｖ２との比（Ｖ２／Ｖ１）との積から、一対の電源側端子３１，３２を流れる電流の値を換算する。そして、故障検知部２１は、換算された値と、複数の第１電流計測部５の計測値の合計値との差分から、第１電流計測部５又は第２電流計測部６での故障の発生を検知する。
【００９６】
同様に、複数の第１電圧計測部２５の各々が、対応する電力変換回路１の一対の入力端子Ｔ１１，Ｔ１２間の電圧を計測し、第２電圧計測部６が、一対のバス側端子４１，４２間の電圧を計測してもよい。そして、故障検知部２１が、一対の電源側端子３１，３２間の電圧を換算してもよい。逆に、複数の第１電流計測部５の各々が、対応する電力変換回路１の一対の出力端子Ｔ２１，Ｔ２２を流れる電流を計測し、第２電流計測部６が、一対の電源側端子３１，３２を流れる電流を計測してもよい。そして、故障検知部２１が、一対の電源側端子４１，４２を流れる電流を換算してもよい。また、複数の第１電圧計測部２５の各々が、対応する電力変換回路１の一対の出力端子Ｔ２１，Ｔ２２間の電圧を計測し、第２電圧計測部６が、一対の電源側端子３１，３２間の電圧を計測してもよい。そして、故障検知部２１が、一対のバス側端子４１，４２間の電圧を換算してもよい。
【００９７】
電力変換回路１及び対応する第１計測部５（２５）の数は、３つに限られない。電力変換回路１及び対応する第１計測部５の数は、２つ又は４つ以上であってもよい。
【００９８】
複数の電力変換回路１、複数の第１計測部５、及び処理装置２は、一つの筐体内に収納されていてもよい。例えば、１つの電力変換回路１と対応する第１計測部５とを収容するサブ筐体が、一つの筐体内に複数収納されていてもよい。
【００９９】
第２計測部６は、電力変換回路１が収容される筐体内に一緒に収容されていてもよいし、別の筐体内に収容されていてもよいし、直流電源８を収容する筐体内に収容されていてもよい。
【０１００】
第１計測部５（２５）及び第２計測部６（２６）の故障は、計測部から計測値が出力されない状態には限られない。例えば、第１計測部５（２５）及び第２計測部６（２６）の故障は、計測部から計測値が出力されるが、その計測値が適切でない状態も含む。
【０１０１】
ステップＳ４〜Ｓ１１において、故障検知部２１は、複数の第１計測部５の故障の判定を順番に行っているが、同時に行ってもよい。同様に、ステップＳ２２〜Ｓ２９において、故障検知部２１は、複数の電力変換回路１の故障の判定を順番に行っているが、同時に行ってもよい。
【０１０２】
制御部２０は、複数の電力変換回路１の各々について、第１計測部５（２５）の計測値が目標値に近づくように各電力変換回路１の動作を制御しているが、これに限られない。制御部２０は、複数の第１計測部５（２５）の計測値同士が互いに近づき、複数の第１計測部５の計測値の合計値が目標値に近づくように、各電力変換回路１の動作を制御してもよい。この場合、故障検知部２１は、複数の第１計測部５（２５）の計測値同士の差が所定の閾値を超えたか否かに基づいて、複数の第１計測部５（２５）又は複数の電力変換回路１の何れに故障が発生しているかを判定してもよい。
【０１０３】
負荷９２は、交流電圧を受けて動作する機器又は電力系統に限られず、直流電圧を受けて動作する機器であってもよい。この場合、インバータ回路９１は不要である。
【０１０４】
報知装置２３０は、処理装置２と一体であってもよい。
【０１０５】
実施形態１において、制御部２０は、出力電圧Ｖ２が目標電圧に近づき、かつ、複数の電力変換回路１の各々について、対応する第１電流計測部５の計測値が目標値に近づくよう制御しているが、これに限られない。例えば制御部２０は、一対のバス側端子４１，４２を流れる電流（出力電流）が目標電流に近づき、かつ、複数の電力変換回路１の各々について、対応する第１電流計測部５の計測値が目標値に近づくよう制御してもよい。同様に、実施形態２において、制御部２０は、出力電圧Ｖ２が目標電圧に近づき、かつ、複数の電力変換回路１の各々について、対応する第１電圧計測部２５の計測値が目標値に近づくよう制御しているが、これに限られない。例えば制御部２０は、一対のバス側端子４１，４２を流れる電流（出力電流）が目標電流に近づき、かつ、複数の電力変換回路１の各々について、対応する第１電圧計測部２５の計測値が目標値に近づくよう制御してもよい。
【０１０６】
（４）利点
以上説明したように、第１の態様に係る電力変換システム（１００）は、複数の電力変換回路（１）と、制御部（２０）と、故障検知部（２１）と、を備える。複数の電力変換回路（１）は、一対の第１端子（電源側端子３１，３２）と一対の第２端子（バス側端子４１，４２）との間に電気的に並列接続され、入力された電圧を所望の電圧に変換する。制御部（２０）は、複数の電力変換回路（１）の動作を制御する。故障検知部（２１）は、複数の第１計測部（第１電流計測部５）の計測値と、第２計測部（第２電流計測部６）の計測値とから、複数の第１計測部（５）、第２計測部（６）、及び複数の電力変換回路（１）の何れに故障が発生しているかを検知する。複数の第１計測部（５）は、複数の電力変換回路（１）に一対一に対応するように設けられて対応する電力変換回路（１）を流れる電流をそれぞれ計測する。第２計測部（６）は、一対の第１端子を流れる電流を計測する。
【０１０７】
第１の態様によれば、故障検知部（２１）によって、複数の第１計測部（５）、第２計測部（６）、及び複数の電力変換回路（１）の何れに故障が発生しているかが特定される。このため、制御部（２０）は、故障検知部（２１）で特定した故障箇所に応じた動作を、複数の電力変換回路（１）に行わせることが可能となる。
【０１０８】
第２の態様に係る電力変換システム（２００）は、複数の電力変換回路（１）と、制御部（２０）と、故障検知部（２１）と、を備える。複数の電力変換回路（１）では、各々が備える第１コンデンサ（コンデンサＣ１）が一対の第１端子（電源側端子３１，３２）間に電気的に直列接続される。複数の電力変換回路（１）は、各々が備える第２コンデンサ（コンデンサＣ２）が一対の第２端子（バス側端子４１，４２）間に電気的に直列接続される。複数の電力変換回路（１）は、第１コンデンサ及び第２コンデンサの一方を介して入力された電圧を所望の電圧に変換して第１コンデンサ及び第２コンデンサの他方から出力する。制御部（２０）は、複数の電力変換回路（１）の動作を制御する。故障検知部（２１）は、複数の第１計測部（第１電圧計測部２５）の計測値と、第２計測部（第２電圧計測部２６）の計測値と、から、複数の第１計測部（２５）、第２計測部（２６）、及び複数の電力変換回路（１）の何れに故障が発生しているかを検知する。複数の第１計測部２５は、複数の電力変換回路（１）に一対一に対応するように設けられて対応する電力変換回路（１）の第１コンデンサ（Ｃ１）間の電圧をそれぞれ計測する。第２計測部（２６）は、一対の第１端子間の電圧を計測する。
【０１０９】
第２の態様によれば、故障検知部（２１）によって、複数の第１計測部（５）、第２計測部（６）、及び複数の電力変換回路（１）の何れに故障が発生しているかが特定される。このため、制御部（２０）は、故障検知部（２１）で特定した故障箇所に応じた動作を、複数の電力変換回路（１）に行わせることが可能となる。
【０１１０】
第３の態様に係る電力変換システム（１００；２００）では、第１又は第２の態様において、以下のように構成される。すなわち、故障検知部（２１）は、複数の第１計測部（５；２５）の計測値の合計値と第２計測部（６；２６）の計測値との差が、所定の判定閾値以上であると、計測部故障状態であると検知する。計測部故障状態は、複数の第１計測部（５；２５）及び第２計測部（６；２６）のうちの何れかに故障が発生している状態である。
【０１１１】
第３の態様によれば、複数の第１計測部（５；２５）及び第２計測部（６；２６）のうちの何れかに故障が発生していることを検知できる。これにより、制御部（２０）は、複数の第１計測部（５；２５）及び第２計測部（６；２６）のうちの何れかで故障が発生したことに応じた動作を、複数の電力変換回路（１）に行わせることが可能となる。
【０１１２】
第４の態様に係る電力変換システム（１００；２００）では、第３の態様において、制御部（２０）は、複数の電力変換回路（１）の各々について、対応する第１計測部（５；２５）の計測値が目標値に近づくよう制御している。故障検知部（２１）は、計測部故障状態であって、かつ、複数の第１計測部（５；２５）の何れかが、計測値と目標値との差分が閾値以上であるという条件を満たす場合、条件を満たす第１計測部（５；２５）を、故障が発生している被故障計測部であると検知する。
【０１１３】
第４の態様によれば、第１計測部（５；２５）での故障の発生を検知することが可能となり、故障が発生している第１計測部（５；２５）を特定することが可能となる。これにより、制御部（２０）は、故障が発生している第１計測部（５；２５）に応じた動作を、複数の電力変換回路（１）に行わせることが可能となる。
【０１１４】
第５の態様に係る電力変換システム（１００；２００）では、第４の態様において、制御部（２０）は、複数の電力変換回路（１）のうち、被故障計測部に対応する電力変換回路（１）の動作を停止させ、残りの電力変換回路（１）の動作を継続させる。
【０１１５】
第５の態様によれば、何れかの第１計測部（５；２５）で故障が発生した場合でも、電力変換システム（１００；２００）からの電力の出力を継続させることが可能となる。
【０１１６】
第６の態様に係る電力変換システム（１００；２００）では、第４又は第５の態様において、制御部（２０）は、被故障計測部の個数が２個以上の場合、全ての複数の電力変換回路（１）の動作を停止させる。
【０１１７】
第６の態様によれば、故障が発生した可能性のある第１計測部（５；２５）を含むシステムの動作が、全て停止されるので、安全性を向上させることが可能となる。
【０１１８】
第７の態様に係る電力変換システム（１００；２００）では、第４の態様において、以下のように動作する。すなわち、制御部（２０）は、被故障計測部の計測値に代えて、第２計測部（６；２６）による計測値及び被故障計測部以外の第１計測部（５；２５）による計測値から演算された値を用いて、被故障計測部に対応する電力変換回路（１）の動作を継続させる。
【０１１９】
第７の態様によれば、第１計測部（５；２５）の何れかに故障が発生した場合でも、全ての電力変換回路（１）の動作を継続させることが可能となる。すなわち、電力変換システム（１００；２００）から、複数の第１計測部（５）に故障が発生していないときと同程度の電力を出力させることが可能となる。
【０１２０】
第８の態様に係る電力変換システム（１００；２００）では、第４の態様において、以下のように動作する。すなわち、故障検知部（２１）は、計測部故障状態であって、かつ、複数の第１計測部（５；２５）の何れもが上記の条件を満たさない場合、第２計測部（６；２６）を、故障が発生している被故障計測部であると検知する。
【０１２１】
第８の態様によれば、第２計測部（６；２６）に故障が発生していることを検知することが可能となる。これにより、制御部（２０）は、第２計測部（６；２６）に故障が発生していることに応じた動作を、複数の電力変換回路（１）に行わせることが可能となる。
【０１２２】
第９の態様に係る電力変換システム（１００；２００）では、第８の態様において、以下のように動作する。すなわち、制御部（２０）は、第２計測部（６；２６）の計測値に代えて、複数の第１計測部（５；２５）による計測値から演算された値を用いて、複数の電力変換回路（１）の動作を継続させる。
【０１２３】
第９の態様によれば、第２計測部（５；２５）に故障が発生した場合でも、複数の電力変換回路（１）の動作を継続させることが可能となる。
【０１２４】
第１０の態様に係る電力変換システム（１００；２００）では、第３の態様において、制御部（２０）は、複数の電力変換回路（１）の各々について、対応する第１計測部（５；２５）の計測値が目標値に近づくよう制御している。故障検知部（２１）は、計測部故障状態ではない場合、以下のように動作する。すなわち、故障検知部（２１）は、複数の第１計測部（５；２５）の何れかが計測値と目標値との差分が閾値以上であるという条件を満たす場合、条件を満たす第１計測部（５；２５）に対応する電力変換回路（１）を、被故障電力変換回路であると検知する。被故障電力変換回路は、故障が発生している電力変換回路である。
【０１２５】
第１０の態様によれば、電力変換回路（１）での故障の発生を検知することが可能となり、故障が発生している電力変換回路（１）を特定することが可能となる。これにより、制御部（２０）は、故障が発生している電力変換回路（１）に応じた動作を、複数の電力変換回路（１）に行わせることが可能となる。
【０１２６】
第１１の態様に係る電力変換システム（１００；２００）では、第１０の態様において、制御部（２０）は、複数の電力変換回路（１）のうち、被故障電力変換回路の動作を停止させ、残りの電力変換回路の動作を継続させる。
【０１２７】
第１１の態様によれば、出力可能な電力の最大値は減少するものの、電力変換システム（１００；２００）からの電力の出力を継続させることが可能となる。
【０１２８】
第１２の態様に係る電力変換システム（１００；２００）では、第１又は第２の態様において、制御部（２０）は、故障検知部（２１）で故障の発生が検知されると、全ての複数の電力変換回路の動作を停止させる。
【０１２９】
第１２の態様によれば、故障が発生した可能性のある装置（第１計測部（５；２５）、第２計測部（６；２６）、電力変換回路（１）の何れか）を含むシステムの動作が、全て停止されるので、安全性を向上させることが可能となる。
【０１３０】
第１３の態様に係る電力変換システム（１００；２００）は、第１〜第１２の何れかの態様において、故障検知部（２１）で検知された故障箇所を通知する通知部（２３）を、さらに備える。
【０１３１】
第１３の態様によれば、故障箇所が通知されるので、外部の機器又は使用者に、故障箇所に応じた対処を促すことが可能となる。
【符号の説明】
【０１３２】
１  電力変換回路
２０  制御部
２１  故障検知部
２３  通知部
３１，３２  電源側端子（第１端子）
４１，４２  バス側端子（第２端子）
５，５１〜５３  第１電流計測部（第１計測部）
６  第２電流計測部（第２計測部）
２５，２５１〜２５３  第１電圧計測部（第１計測部）
２６  第２電圧計測部（第２計測部）
１００  電力変換システム
２００  電力変換システム
Ｃ１  コンデンサ（第１コンデンサ）
Ｃ２  コンデンサ（第２コンデンサ）
【図１】
2019103160.tif 000003
【図２】
2019103160.tif 000004
【図３】
2019103160.tif 000005
【図４】
2019103160.tif 000006
【図５】
2019103160.tif 000007
【図６】
2019103160.tif 000008